(57)【要約】【課題】  気液分離対象の流体流量に依らず十分な気液分離能を実現でき、装置構成を簡略化できるオイルセパレーター及びＰＣＶシステムを提供する。【解決手段】  本発明によるＰＣＶシステムは、内燃機関１０１及び吸気系１０２に接続されたサイクロンセパレーター２を備えるものである。サイクロンセパレーター２は、ガス吸入管３が接続された円筒部２１とその上方に連通接続された円筒部２２を有する。円筒部２２の内部には、コイルばね２５に懸吊され且つガス流通口２４ａが形成された仕切板２４が配置されている。仕切板２４は、供給されるブローバイガスＢ１，Ｂ２の流量に応じて移動され、これにより所望の容積を有する気液分離室としての空間領域Ｓ１が画成される。【選択図】  図３
2005155423.tif 000002
【特許請求の範囲】
【請求項１】
オイル分とガス分とを含む流体が供給されて気液分離が行われるサイクロン方式のオイルセパレーターであって、
略筒状を成す胴部と、
前記胴部内において、前記流体の流量に応じて該胴部の高さ方向に沿う長さが変化するように画成された気液分離部と、
前記流体が前記胴部の半径方向と所定角を成す方向から前記気液分離部内へ流入するように設けられた流体吸入部と、
前記胴部の下方に設けられており、前記流体から分離された前記オイル分が当該オイルセパレーターの外部へ排出されるオイル排出部と、
前記オイル排出部よりも上方に設けられており、前記流体から分離された前記ガス分が当該オイルセパレーターの外部へ排出されるガス排出部と、
を備えるオイルセパレーター。
【請求項２】
前記胴部は、互いに内径が異なる複数の側壁が該胴部の高さ方向に沿って設けられたものである、
請求項１記載のオイルセパレーター。
【請求項３】
当該オイルセパレーターの内部空間に複数の領域が画成されるように、前記胴部の内側で且つ該胴部の高さ方向において前記流体吸入部よりも高い部位に設けられ、該高さ方向に沿って移動可能であり、且つ、該複数の領域が互いに連通するように開口した連通部が形成された仕切部材を備える、
請求項１又は２記載のオイルセパレーター。
【請求項４】
前記複数の領域のうち前記気液分離部が画成されていない領域に配置されており、前記仕切部材と当接可能に設けられた弾性部材を備える、
請求項３記載のオイルセパレーター。
【請求項５】
請求項１〜４のいずれか一項に記載のオイルセパレーターを備えており、
前記流体として内燃機関から生じるブローバイガスが前記オイルセパレーターに供給される、
ＰＣＶシステム。
【発明の詳細な説明】
【技術分野】
【０００１】
本発明は、オイルセパレーター及びそのオイルセパレーターを備えるＰＣＶ（PositiveCrankcase Ventilation；ブローバイガス還元装置）システムに関する。
【背景技術】
【０００２】
一般に、内燃機関の圧縮工程又は膨張工程においてピストンとシリンダとの間からクランクケース内に漏出するブローバイガスは、霧状のオイル粒子と混合されてオイルミストになる。このようにオイル分とガス分を含むブローバイガスは、通常、気液分離が施された後、オイル分は回収され、ガス分は内燃機関側へ還元される。このとき、気液分離が不十分であると、オイル消費が増大するため、種々の気液分離構造が提案されている。
【０００３】
一例として、特許文献１には、複数のサイクロンセパレーターを有し、ブローバイガス（クランクケース通気ガス）の流量に応じて使用するセパレーターの数を変化させるように構成した装置が記載されている。具体的には、ブローバイガスの体積流を複数の部分流に分割し、各部分流を並列配置された異なるサイクロンセパレーターに独立に流通させるものである。
【０００４】
この従来装置は、ブローバイガスの体積流の大きさが内燃機関の負荷状態等に依存することから、上述したような構成により、その体積流の変動に関わらず最適条件でもってブローバイガスの脱油を行うことを企図したものである。
【特許文献１】特表２００２−５４３３２１号公報
【発明の開示】
【発明が解決しようとする課題】
【０００５】
しかし、上記従来の装置に備わる各サイクロンセパレーターは、それに導入される部分流の最大流量を処理できるように構成される必要がある。これとは逆に、部分流の流量範囲の下限に合わせてサイクロンセパレーターの容量を決定してしまうと、大流量のときに通気抵抗が過大となってしまい、流通が妨げられてしまう傾向にある。
【０００６】
よって、ブローバイガスを部分流に分割したとしても、全体流量又はその部分流量が過小な場合、その最大流量に基づいて設計されたサイクロンセパレーター内では流速が不十分となってしまう。こうなると、気液分離を十分に行うために必要な遠心力が発生しないので、気液分離効率を十分に高めることができない。
【０００７】
また、部分流に分割してサイクロンセパレーターの設置員数を増やすと、装置構成が複雑となるばかりか、より広い設置スペースが必要となる。これは、例えば車両等の限られた空間に搭載する際に極めて不利であり、しかも装置の部材コストの増大を招いてしまう。
【０００８】
さらに、特許文献１には、部分流が少量の際にその部分流をサイクロンセパレーターに通気させないようにするためのボールバルブを用いた構成も開示されている。しかし、そもそも分割前のブローバイガス流量が過小な場合には、かかる構成をもってしても十分な気液分離性能を得ることは困難である。
【０００９】
そこで、本発明はかかる事情に鑑みてなされたものであり、気液分離に供される流体の流量に依らず十分な気液分離性能を実現でき、装置構成を簡略化できるオイルセパレーター、及びそれを用いたＰＣＶシステムを提供することを目的とする。
【課題を解決するための手段】
【００１０】
上記課題を解決するために本発明のオイルセパレーターは、オイル分とガス分とを含む流体が供給されて気液分離が行われるサイクロン方式のオイルセパレーターであって、略筒状を成す胴部と、胴部内において、流体の流量に応じてその胴部の高さ方向に沿う長さが変化するように画成される気液分離部と、流体が胴部の半径方向と所定角を成す方向から気液分離部内へ流入するように設けられた流体吸入部と、胴部の下方に設けられており、流体から分離されたオイル分がオイルセパレーターの外部へ排出されるオイル排出部と、オイル排出部よりも上方に設けられており、流体から分離されたガス分がオイルセパレーターの外部へ排出されるガス排出部とを備える。
【００１１】
なお、胴部の「高さ方向」とは、流体が該胴部の側壁においてその内部に供給される方向を含む面に対して垂直又は略垂直な方向を示し、通常は、略筒状を成す胴部の軸方向（径方向に対して垂直な方向）であり、この場合、高さ方向に沿う長さは「高さ」に相当する。
【００１２】
このように構成された本発明によるオイルセパレーターは、流体が胴部壁から流入する方式、特にその流入角が胴部の半径方向と略直角を成す場合に接線流入式のサイクロンセパレーターとして機能する。すなわち、気液混合体である流体が、流体吸入部に案内されて胴部の接線方向からその内部に画成された気液分離部に流入し、サイクロン効果によって気液分離が行われる。分離されたオイル分は胴部の内壁を伝って胴部下方に設けられたオイル排出部へ流動して集められ、外部へ排出される。一方、分離されたガス分（清澄な処理済ガス）は、ガス排出部から胴部の外部へ排出される。
【００１３】
このとき、気液分離部が流体流量に応じて胴部の高さ方向に沿う長さが変化するように、例えば、流量が相対的に小さいときに高さが比較的小さくなるように且つ逆に流量が相対的に大きいときには断面径が大きくなるように画成されている。これにより、流体流量に応じて気液分離部の容積が変更され、流体流量が小さいときでも気液分離部内で十分な流速が確保され、流体流量が大きいときでも通気抵抗の増大が抑えられる。したがって、流体を部分流に分割する必要もなく、オイルセパレーターを複数台使用することも要しない。
【００１４】
具体的には、胴部が、互いに内径が異なる複数の側壁がその胴部の高さ方向に沿って設けられたものであると好ましい。この場合、流量が相対的に小さいときに内径がより小さい側壁で囲まれた空間領域が気液分離部として用いられ、流量が相対的に大きいときに、その部位に代えて或いはその部位に加えて、内径がより大きい側壁で囲まれた空間領域が気液分離部として用いられる。
【００１５】
また、当該オイルセパレーターの内部空間に複数の領域が画成されるように、胴部の内側で且つ胴部の高さ方向において流体吸入部よりも高い部位に設けられ、その高さ方向に沿って移動可能であり、且つ、それらの複数の領域が互いに連通するように開口した連通部が形成された仕切部材を更に備えると好適である。
【００１６】
こうすれば、仕切部材で離隔されて成る複数の空間領域のうち、流体流入部から流体が供給される領域が気液分離部として機能し、オイル分が分離された流体は連通部を通して吸気系等へ送出される。また、仕切部材が胴部の高さ方向に沿って移動するように設けられているので、気液分離部の容積が可変とされ、流体流量に応じて適宜の容積を有する気液分離部を形成させ得る。
【００１７】
なお、仕切部材を移動させる方式又は手段は特に制限されるものではないが、仕切部材が流体吸入部よりも高い部位に遊動可能に設けられていると有用である。こうすれば、流体が気液分離部に供給されると、流体吸入部側の領域に供給された流体の圧力と仕切部材の受圧面積で定まる力が仕切部材に作用する。そして、仕切部材は、遊動可能に設けられているので、別途駆動手段を設けなくとも、その力の方向つまり仕切部材で離隔された他の領域側に移動する。
【００１８】
この場合、複数の領域のうち気液分離部が画成されていない領域に配置されており、仕切部材と当接可能に設けられた例えば各種ばね、ゴムといった弾性部材を備えると更に好ましい。
【００１９】
このように構成すれば、仕切部材は、流体の圧力が印加されて気液分離部が画成されていない領域側に移動したときに、弾性部材と当接し得る。これにより、弾性部材は圧縮され、仕切部材は、その弾性部材の圧縮による反発力と、流体の圧力及び仕切部材の受圧面積で定まる力とが釣り合う位置まで移動される。弾性部材としては、流体流量が小さいときには圧縮され難く、流体流量が大きいときに圧縮され易いような所望の性状パラメータ（例えば、ばねであれば「ばね定数」、その他の部材では「弾性率」等）を有するものを用いることが望ましい。
【００２０】
なお、弾性部材を用いずに、仕切部材の少なくとも一部を弾性体で構成しても同様の作用が奏され得る。この弾性体の一例としては、連続的若しくは断続的な平滑面又は蛇腹等の凹凸面を有するゴムが挙げられ、供給される流体の種類や温度条件により種々の合成ゴム又は天然ゴムから選択して使用可能である。また、他の例として、蛇腹等の折り畳み自在な凹凸面を有する非ゴム材が挙げられる。
【００２１】
また、本発明によるＰＣＶシステムは、本発明のオイルセパレーターを備えており、流体として内燃機関から生じるブローバイガスがそのオイルセパレーターに供給されるように構成されたものである。
【発明の効果】
【００２２】
本発明のオイルセパレーター及びそれを用いたＰＣＶシステムによれば、気液分離に供される流体の流量に依らず十分な気液分離能を実現できると共に、装置構成の簡略化及び設置スペースの狭小化を図ることができる。
【発明を実施するための最良の形態】
【００２３】
以下、本発明の実施形態について詳細に説明する。なお、同一要素には同一の符号を付し、重複する説明を省略する。また、上下左右等の位置関係は、特に断らない限り、図面に示す位置関係に基づくものとする。また、図面の寸法比率は、図示の比率に限られるものではない。
【００２４】
図１及び図２は、共に本発明によるオイルセパレーターを備えるＰＣＶシステムの好適な実施形態を模式的に示す斜視図（一部ブロック図）であり、それぞれ異なる流量のブローバイガスが供給されているオイルセパレーターの状態を示す図である。また、図３は、図１及び図２におけるIII−III線に沿う断面の要部を示す図である。ＰＣＶシステム１は、車両や動機器等（図示せず）における内燃機関１０１及び吸気系１０２に接続されたサイクロンセパレーター２（オイルセパレーター）を備えるものである。
【００２５】
サイクロンセパレーター２は、互いに内径が異なる円筒部２１，２２が、円筒部２１に向かって径が徐々に小さくなる（いわゆる‘先細り’）ように形成された環状連結部２９を介して連通するように接合された胴部を有している。円筒部２１の側壁には、ガス吸入口３ａが設けられており、そのガス吸入口３ａに、内燃機関１０１の例えば図示しないクランクケースに配管Ｐ１を介して接続されたガス吸入管３（流体吸入部）が接続されている。
【００２６】
円筒部２２の上端には、略中央部に貫通孔が形成された蓋部２３が設けられており、その貫通孔には、吸気系１０２に配管Ｐ２を介して接続されたガス排出管４（ガス排出部）が嵌入されている。また、円筒部２１の下端にはロート状の逆円錐部２８が設けられている。この逆円錐部２８の下端部には、オイル排出口５ａが形成されており、配管Ｐ３を介してオイル回収系１０３に接続されたオイル排出管５（オイル排出部）がそのオイル排出口５ａに接続されている。
【００２７】
また、円筒部２２の内部には、その内径と略同等でやや小さい外径を有し且つガス流通口２４ａが形成された仕切板２４（仕切部材）が設置されている。仕切板２４と蓋部２３との間には、コイルばね２５が、ガス排出管４において円筒部２２内に嵌入された部分、及びガス流通口２４ａと略同軸状に配置されたコイルばね２５が設置されている。コイルばね２５の一方端部及び他方端部は、それぞれ蓋部２３の底面、及び仕切板２４の上面に結合されている。
【００２８】
このように、仕切板２４は、コイルばね２５に懸吊された状態で保持されており、胴部の内側で且つその高さ方向においてガス吸入管３が接続されたガス吸入口３ａよりも高い部位（ここでは円筒部２２内）に設けられている。この仕切板２４により、サイクロンセパレーター２の内部空間が上下に二つの空間領域Ｓ１，Ｓ２に離隔され、且つ、ガス流通口２４ａによってそれら上下の空間領域が連通する。
【００２９】
また、ガス吸入口３ａが形成された側の空間領域Ｓ１は、円筒部２１及び逆円錐部２８とで囲まれた空間と、それに連通する内径がより大きな円筒部２２及び仕切板２４とで囲まれた空間とで構成され、ブローバイガスの気液分離室（気液分離部）として機能する。また、コイルばね２５が伸縮するので、仕切板２４は、図示上下方向に移動可能であり、これにより、空間領域Ｓ１，Ｓ２の容積が変化する。
【００３０】
このように構成されたＰＣＶシステム１におけるブローバイガスの処理について以下に説明する。ブローバイガスは、内燃機関１０１内で発生したオイル液滴（オイル分）と燃焼ガス（ガス分）との気液混合体であり、内燃機関１０１の運転条件に応じて流量が変化し、よってガス吸入口３ａに達したときの流速が異なる。
【００３１】
図１は、流量が比較的小さいブローバイガスＢ１（流体）が供給されたときのサイクロンセパレーター２の状態を示し、図２は、流量がブローバイガスＢ１よりも有意に大きいブローバイガスＢ２（流体）が供給されたときのサイクロンセパレーター２の状態を示す。なお、図３には両者の状態を併記した。また、図示において、ブローバイガスＢ１，Ｂ２を表す矢印の長さは、両者における流速の大小を模式的に示している。
【００３２】
サイクロンセパレーター２は、接線流入式のものであり、図１において、ブローバイガスＢ１は、ガス吸入管３を通して円筒部２１内にその接線方向に沿って供給される。ブローバイガスＢ１が円筒部２１内に流入すると、気液分離室である空間領域Ｓ１を画成する円筒部２１の内壁及び仕切板２４には、そのガス流量に応じて生起される内圧が印加される。
【００３３】
このとき、ブローバイガスＢ１の流速が比較的小さいので、円筒部２１内の内圧はさほど大きくならず、仕切板２４の下面に作用する力（空間領域Ｓ１の内圧に仕切板２４の下面の面積を乗じた値）は、コイルばね２５を有意に収縮させる程に大きくならず、図１に示すように主に円筒部２１、環状連結部２９、及び逆円錐部２８で囲まれた容積を有する空間領域Ｓ１が気液分離室として画成される。
【００３４】
この空間領域Ｓ１内に導入されたブローバイガスＢ１の流れは、主として円筒部２１内で直線流から渦流に変化し、円筒部２１の内壁に沿って回転しながら螺旋状に下降する。それから、逆円錐部２８に到達すると、回転速度を増しながら更に下降し、逆円錐部２８の下方端近傍で反転上昇し、円筒部２１の略中心部を回転しながら上昇する。
【００３５】
このとき、ブローバイガスＢ１中に微小粒子として含まれるオイル液滴は、旋回運動によって遠心力を得て円筒部２１の側壁に向かって水平方向に移動し、円筒部２１の内壁に衝突して運動量を失い、その内壁を伝って流下する。逆円錐部２８下端のオイル排出口５ａ付近に溜まったオイルは、適宜の操作によりオイル排出管５を通してオイル回収系１０３へ送られる。
【００３６】
こうして、ブローバイガスＢ１の気液分離が行われ、円筒部２１の略中心部を上昇するガスはオイル液滴が分離された清澄ガスとなり、仕切板２４に形成されたガス流通口２４ａを通って空間領域Ｓ２内へ流入し、さらに、ガス排出管４及び配管Ｐ２を通して吸気系１０２へ送られる。
【００３７】
このように、ブローバイガスＢ１の流速が比較的小さいときには、コイルばね２５に吊り下げられるようにして円筒部２２の下方端近傍に保持された仕切板２４は上方に移動せず、空間領域Ｓ１が比較的小さい容積に保たれる。よって、ブローバイガスＢ１の流量が小さくとも、サイクロンセパレーター２内での渦流速を十分に確保できる。これにより、サイクロンセパレーター２内で十分な遠心力を発生させることができ、小流量のブローバイガスＢ１に対しても優れた気液分離分性能を発現できる。
【００３８】
一方、ブローバイガスＢ１よりも十分に大きい流量を有するブローバイガスＢ２が円筒部２１内に流入すると、その流速が比較的大きいので、円筒部２１内の内圧が増大され、仕切板２４の下面に作用する力が、コイルばね２５を有意に収縮させる程に大きくなる。これにより、空間領域Ｓ２の容積が減少するようにコイルばね２５が収縮し、図２に示す如く、容積が拡大された状態、すなわち円筒部２２の大部分、環状連結部２９、円筒部２１、及び逆円錐部２８で囲まれた空間領域Ｓ１が気液分離室として画成される。このとき、仕切板２４は、仕切板２４の下面に作用する力とコイルばね２５の収縮による反発力とが均衡する位置まで移動し、その位置で保持される。
【００３９】
この空間領域Ｓ１内に導入されたブローバイガスＢ２の流れは、主として円筒部２１，２２及び円筒部２２内で直線流から渦流に変化し、円筒部２２、環状連結部２９、及び円筒部２１の内壁に沿って回転しながら螺旋状に下降する。それから、逆円錐部２８に到達すると、回転速度を増しながら更に下降し、逆円錐部２８の下方端近傍で反転上昇し、円筒部２１，２２の略中心部を回転しながら上昇する。
【００４０】
このとき、ブローバイガスＢ２中に微小粒子として含まれるオイル液滴は、上述したブローバイガスＢ１の気液分離と同様にして分離され、円筒部２１，２２等の内壁を伝って流下し、オイル排出口５ａからオイル排出管５を通してオイル回収系１０３へ送られる。また、オイル液滴が分離された清澄ガスは、仕切板２４に形成されたガス流通口２４ａを通って空間領域Ｓ２内へ流入し、さらに、ガス排出管４及び配管Ｐ２を通して吸気系１０２へ送られる。
【００４１】
このように、ブローバイガスＢ２の流速が比較的大きいときには、コイルばね２５に吊り下げられるようにして円筒部２２の下方端近傍に保持された仕切板２４が上方に移動し、空間領域Ｓ１が円筒部２２側に拡大されて容積が大きくされる。よって、ブローバイガスＢ２の流量が大きくとも、空間領域Ｓ１での流体抵抗（通気抵抗）が過大となることを抑止しつつ十分な流速を実現できる。
【００４２】
なお、空間領域Ｓ１内におけるブローバイガスＢ１，Ｂ２の実際の気流は、より一層複雑な挙動を示す傾向にあり、作用は上述したものに限定されない。
【００４３】
こうして、サイクロンセパレーター２、及びそれを備えるＰＣＶシステム１によれば、ブローバイガスＢ１，Ｂ２の流量が変化しても、その流量の広い範囲で気液分離効率を十分に高く維持できる。したがって、従来のようにオイル分を含むブローバイガスを気液分離の前段で部分流に分割する必要がなく、或いはオイルセパレーターを複数台用いる必要もない。その結果、ＰＣＶシステム１の構成を簡略化でき且つその設置スペースを狭小化でき、もってコストの低減をも図ることが可能となる。
【００４４】
また、サイクロンセパレーター２の胴部が、円筒部２１とそれよりも内径が大きい円筒部２２とが環状連結部２９を介して連通接続されて成り、仕切板２４は、ブローバイガスＢ１，Ｂ２が供給されていないときに内径が大きい方の円筒部２２の下方端側に配置されている。よって、空間領域Ｓ１の容積を所望に拡大させるのに必要な仕切板２４の上方への移動量を低減できる。したがって、サイクロンセパレーター２の高さを低減することができ、これにより、高さ方向の設置スペースを更に削減できる。
【００４５】
さらに、仕切板２４が、気液分離室として機能する領域の外部つまり仕切板２４で離隔された他方の空間領域Ｓ２内に設置されたコイルばね２５によって遊動可能に保持され、且つ、ブローバイガスＢ１，Ｂ２の流体圧及びコイルばね２５の反発力（ばね力）によって所望の位置まで移動される。よって、仕切板２４を移動させるための他の駆動機構を設ける必要がない。よって、装置構成を更に一層簡略化させることができ、コストの増大を抑えることができる。
【００４６】
なお、本発明は上述した実施形態に限定されるものではなく、その要旨を変更しない限度において様々な変形が可能である。例えば、コイルばね２５の代りに又はそれに加えて他種のばね、或いは、ゴム等の他の弾性部材を用いてもよい。また、コイルばね２５を設けずに、他に駆動機構を設けて仕切板２４を駆動させてもよい。この場合、円筒部２１内に供給されるブローバイガスＢ１，Ｂ２の流量又は流速を計測し、その実測値に基づいて、仕切板２４の移動量を調節して所望の容積を有する空間領域Ｓ１を画成するように制御すると好ましい。
【００４７】
また、サイクロンセパレーター２は、接線流入式のものが望ましいものの、それに制限されず、円筒部２１の半径方向と一定の角度を成すように接続してもよい。こうしても、ブローバイガスＢ１，Ｂ２が円筒部２１の半径方向と所定角を成す方向から内部へ流入するので、空間領域Ｓ１において十分なサイクロン効果が奏される。
【００４８】
さらに、サイクロンセパレーター２の胴部を円筒部２１，２２のうち一方のみで構成しても構わない。この場合、仕切板２４は、各円筒部２１，２２内の適宜の位置に配置される。またさらに、円筒部２１，２２、ガス流通口２４ａ、円筒部２２内におけるガス排出管４の嵌入部分とを同軸状に設けずに、互いに偏芯させて設けてもよい。
【産業上の利用可能性】
【００４９】
本発明によるオイルセパレーター及びそれを備えるＰＣＶシステムは、気液分離の対象である流体の流量に依らず十分な気液分離能を実現でき、しかも装置構成の複雑化及び経済性の悪化を防止できるので、ブローバイガス等のオイル分を含む気液混合体が発生し得る内燃機関を備える機器、動機、設備等に広く利用できる。
【図面の簡単な説明】
【００５０】
【図１】本発明によるオイルセパレーターを備えるＰＣＶシステムの好適な実施形態を模式的に示す斜視図（一部ブロック図）であり、ブローバイガスＢ１が供給されている状態を示す図である。
【図２】本発明によるオイルセパレーターを備えるＰＣＶシステムの好適な実施形態を模式的に示す斜視図（一部ブロック図）であり、ブローバイガスＢ２が供給されている状態を示す図である。
【図３】図１及び図２におけるIII−III線に沿う断面の要部を示す図である。
【符号の説明】
【００５１】
１…ＰＣＶシステム、２…サイクロンセパレーター（オイルセパレーター）、３…ガス吸入管（流体吸入部）、３ａ…ガス吸入口、４…ガス排出管（ガス排出部）、５ａ…オイル排出口、５…オイル排出部、５…オイル排出管（オイル排出部）、２１，２２…円筒部（胴部）、２３…蓋部、２４ａ…ガス流通口、２４…仕切板（仕切部材）、２８…逆円錐部、２９…環状連結部、１０１…内燃機関、１０２…吸気系、１０３…オイル回収系、Ｂ１，Ｂ２…ブローバイガス（流体）、Ｐ１，Ｐ２，Ｐ３…配管、Ｓ１…空間領域（気液分離室、気液分離部）。
【図１】
2005155423.tif 000003
【図２】
2005155423.tif 000004
【図３】
2005155423.tif 000005